(57)【要約】組み込みテスト機構を備えたセル・バッファが、提供される。セル・バッファは、電池によって供給される電圧を測定する能力を備えている。テスト機構は、セル・バッファが適正に機能しているか否かをテストする能力を備え、ひいては精確な電圧測定を行う。テスト機構は、テスト信号をセル・バッファに供給するテスト信号プロバイダを含んでいる。定常動作中、テスト信号はディセーブルにされ、セル・バッファは正常に動作する。テスト中、テスト信号はイネーブルにされ、セル・バッファの出力を規定の態様で変更する。次にセル・バッファ出力の変化が監視されて、セル・バッファが適正に機能しているか否かが判定されることができる。具体的には、セル・バッファの電圧出力が、供給されたテスト信号に対応するように変化した場合は、セル・バッファの機能は、確証される。セル・バッファの電圧出力が適正に変化しない場合は、セル・バッファは、適正に動作していないことが判明する。このように、組み込みテスト機構によって、セル・バッファが適正に動作しているか否かを迅速かつ精確に判定する能力が、付与される。その上、テスト機構は、装置のサイズと複雑さを過剰にする必要なく、この機能を付与する。
2005532538.tif 000002
【特許請求の範囲】
【請求項１】
セル・バッファであって、
ａ）共通モード電圧を有する差動電圧を受ける差動入力端子と、
ｂ）前記差動電圧に比例するシングルエンド共通アース電圧を出力する出力端子と、
ｃ）テスト信号を選択的に受信するテスト信号入力端子と、
を備え、前記受信されたテスト信号は、該セル・バッファによって出力された前記シングルエンド共通アース電圧を、該セル・バッファのテストを促進するために、前記テスト信号に対応するように修正する、セル・バッファ。
【請求項２】
該セル・バッファは、第１および第２入力端子を有する演算増幅器を含み、前記テスト信号入力端子は、抵抗を介して、前記第１入力端子に結合される、請求項１に記載のセル・バッファ。
【請求項３】
該セル・バッファは、第１および第２入力端子を有する演算増幅器を含み、前記テスト信号入力端子は、抵抗を介して、前記第１入力端子に結合され、該セル・バッファの前記出力端子は、第２抵抗を介して、前記第２入力端子に結合される、請求項１に記載のセル・バッファ。
【請求項４】
前記第１抵抗は、前記第２抵抗とほぼ同一の抵抗値を有する、請求項３に記載のセル・バッファ。
【請求項５】
該セル・バッファは、正の入力端子、負の入力端子および演算増幅器出力端子を有する演算増幅器と、第１抵抗と、第２抵抗と、第３抵抗と、第４抵抗と、第５抵抗と、第６抵抗と、を含み、前記演算増幅器の出力端子は、該セル・バッファの出力端子に結合され、前記演算増幅器の負の入力端子は、前記第２抵抗を介して前記出力端子に結合され、前記演算増幅器の正の入力端子は、前記第１抵抗を介して前記テスト信号入力端子に結合され、前記第１差動入力端子は、前記第５抵抗を介して前記演算増幅器の負の入力端子に結合され、前記第２差動入力端子は、前記第６抵抗を介して前記演算増幅器の正の入力端子に結合され、前記演算増幅器の負の入力端子は、前記第３抵抗を介してアースに結合され、前記演算増幅器の正の入力端子は、前記第４抵抗を介してアースに結合される、請求項１に記載のセル・バッファ。
【請求項６】
前記第１抵抗および前記第２抵抗は、ほぼ同一の抵抗値を有する、請求項５に記載のセル・バッファ。
【請求項７】
前記第１抵抗および前記第２抵抗は、ほぼ同一の抵抗値を有し、前記第５抵抗および前記第６抵抗は、ほぼ同一の抵抗値を有する、請求項５に記載のセル・バッファ。
【請求項８】
該セル・バッファは、正の入力端子、負の入力端子および演算増幅器出力端子を有する演算増幅器と、第１抵抗と、第２抵抗と、第３抵抗と、第４抵抗と、第５抵抗と、第６抵抗と、を含み、前記演算増幅器の出力端子は、該セル・バッファの出力端子に結合され、前記演算増幅器の負の入力端子は、前記第２抵抗を介して前記出力端子に結合され、前記演算増幅器の正の入力端子は、前記第１抵抗を介してアースに結合され、前記第１差動入力端子は、前記第５抵抗を介して前記演算増幅器の負の入力端子に結合され、前記第２差動入力端子は、前記第６抵抗を介して前記演算増幅器の正の入力端子に結合され、前記演算増幅器の負の入力端子は、前記第３抵抗を介して前記テスト信号入力端子に結合され、前記演算増幅器の正の入力端子は、前記第４抵抗を介してアースに結合される、請求項１に記載のセル・バッファ。
【請求項９】
前記出力は、電圧モニタに結合され、前記電圧モニタは、該セル・バッファをテストするために前記修正されたシングルエンド共通アース電圧を監視する、請求項１に記載のセル・バッファ。
【請求項１０】
装置であって、
ａ）第１セル・バッファであって、
ｉ）第１の共通モード電圧を有する第１差動電圧を第１電池から受ける第１差動入力端子と、
ｉｉ）前記第１差動電圧に比例する第１のシングルエンド共通アース電圧を出力する第１出力端子と、
ｉｉｉ）第１テスト信号を選択的に受信する第１テスト信号入力端子であって、前記受信された第１テスト信号は、前記第１セル・バッファによって出力された前記第１のシングルエンド共通アース電圧を、前記第１セル・バッファのテストを促進するために、前記第１テスト信号に対応するように修正する、第１テスト信号入力端子と、
を含む第１セル・バッファと、
ｂ）第２セル・バッファであって、
ｉ）第２の共通モード電圧を有する第２差動電圧を第２電池から受ける第２差動入力端子と、
ｉｉ）前記第２差動電圧に比例する第２のシングルエンド共通アース電圧を出力する第２出力端子と、
ｉｉｉ）第２テスト信号を選択的に受信する第２テスト信号入力端子であって、前記受信された第２テスト信号は、前記第２セル・バッファによって出力された前記第２シングルエンド共通アース電圧を、前記第セル・バッファのテストを促進するために、前記第２テスト信号に対応するように修正する、第２テスト信号入力端子と、
を含む第２セル・バッファと、
を備える装置。
【請求項１１】
該装置は、電圧モニタをさらに備え、前記電圧モニタは、前記第１電池からの電圧を監視するために前記第２出力端子に結合され、かつ前記第２電池からの電圧を監視するために前記第２出力端子に結合され、前記電圧モニタは、前記第１電池をテストするために前記修正された第１シングルエンド共通アース電圧と、前記第２電池をテストするために前記修正された第２シングルエンド共通アース電圧と、を選択的に受ける、請求項１０に記載の装置。
【請求項１２】
前記第１セル・バッファは、第１の正の入力端子と第１の負の入力端子とを有する第１演算増幅器を含み、前記第１テスト信号入力端子は、第１抵抗を介して前記第１の正の入力端子に結合され、前記第２セル・バッファは、第２の正の入力端子と第２の負の入力端子とを有する第２演算増幅器を含み、前記第２テスト信号入力端子は、第２抵抗を介して前記第２の正の入力端子に結合される、請求項１０に記載の装置。
【請求項１３】
前記第１セル・バッファは、第１の正の入力端子、第１の負の入力端子および第１出力端子を有する第１演算増幅器を含み、前記第１テスト信号入力端子は、第１抵抗を介して前記第１の正の入力端子に結合され、前記第１出力端子は、第２抵抗を介して前記第１の負の入力端子に結合され、前記第２セル・バッファは、第２の正の入力端子、第２の負の入力端子および第２出力端子を有する第２演算増幅器を含み、前記第２テスト信号入力端子は、第３抵抗を介して前記第２の正の入力端子に結合され、前記第２出力端子は、第４抵抗を介して前記第２の負の入力端子に結合される、請求項１０に記載の装置。
【請求項１４】
前記第１抵抗および前記第２抵抗は、ほぼ同一の抵抗値を有し、前記第３抵抗および前記第４抵抗は、ほぼ同一の抵抗値を有する、請求項１３に記載の装置。
【請求項１５】
前記第１および第２差動入力端子は、入力ノードを共用する、請求項１０に記載の装置。
【請求項１６】
前記第１テスト信号は、正の電圧テスト信号からなり、前記第２テスト信号は、負の電圧テスト信号からなる、請求項１０に記載の装置。
【請求項１７】
装置であって、
ａ）共通モード電圧を有する差動電圧を電池から受ける差動入力端子と、
ｂ）前記差動電圧に比例するシングルエンド共通アース電圧を出力する出力端子と、
ｃ）テスト信号を選択的に受信するテスト信号入力端子と、
ｄ）セル・バッファをテストするために修正されたシングルエンド共通アース電圧を監視する電圧モニタと、
ｅ）正の入力端子と、負の入力端子と、演算増幅器出力とを有する演算増幅器と、
ｆ）第１抵抗であって、前記テスト信号入力端子が、第１抵抗を介して前記正の入力端子に結合される、第１抵抗と、
ｇ）第２抵抗であって、前記演算増幅器出力端子が、第２抵抗を介して前記負の入力端子に結合される、第２抵抗と、
を備え、前記受信されたテスト信号は、セル・バッファによって出力された前記シングルエンド共通アース電圧を、前記テスト信号に対応するように修正する、装置。
【請求項１８】
前記第１抵抗および前記第２抵抗は、ほぼ同一の抵抗値を有する、請求項１７に記載の装置。
【請求項１９】
該装置は、第３抵抗と、第４抵抗と、第５抵抗と、第６抵抗とをさらに備え、前記第１差動入力端子は、前記第５抵抗を介して前記演算増幅器の負の入力端子に結合され、前記第２差動入力端子は、前記第６抵抗を介して前記演算増幅器の正の入力端子に結合され、前記演算増幅器の負の入力端子は、前記第３抵抗を介してアースに結合され、前記演算増幅器の正の入力端子は、前記第４抵抗を介してアースに結合される、請求項１７に記載の装置。
【請求項２０】
前記第３抵抗および前記第４抵抗は、ほぼ同一の抵抗値を有する、請求項１９に記載の装置。
【発明の詳細な説明】
【技術分野】
【０００１】
（政府の権利の表明）
合衆国政府は、本発明の支払い済みのライセンスを有し、かつアメリカ航空宇宙局（ＮＡＳＡ）によって発注された契約ＮＡＳ第９−２００００号、ボーイング外注契約第３１０９２３０９号の条件によって記載された適正な期間に特許権所有者に対して他者にライセンスを限定的な環境で与えるように要請する権利を有するものである。
【０００２】
（技術分野）
本発明は、全体として電子システムに関し、より具体的には、電子システムのテストに関する。
【背景技術】
【０００３】
現代の生活は、ますます電子システムに依存するようになっている。電子装置は、極度に高度化された装置へと進化しており、多くの異なる用途に見出される。エレクトロニクスが、日常生活にいっそう組み込まれると、ますますその信頼性が、必要になってくる。充分な信頼性を確保するためには、電子システムを徹底的に監視することが必要である。
【０００４】
重要性を増している１つの特定の種類の電子部品は、電池である。電池は、多くの種類のシステムを作動するために、必要な電力を供給する。電池には、多くの異なる種類のものがあり、それぞれの種類に、利点と欠点がある。電池の一実施例は、単に電気を蓄積する従来型のバッテリを含んでいる。電池の他の実施例は、実際に発電するために水素またはメタンのような異なる燃料を使用する先進的な燃料電池を含んでいる。多くの用途では、特定のシステムに給電するために必要な電圧およびアンペア数を供給するために、複数個の電池が、互いに直列および並列に組み合わされる。例えば、１ボルトの電池を３２個組み合わせて、１個の３２ボルトの電源を製造することができる。
【発明の開示】
【発明が解決しようとする課題】
【０００５】
多くの電池では電池によって供給される電圧を精確に監視することが重要である。場合によっては、電圧の増減が、電池内の重大な問題を示すことがあり、また場合によってはシステム全体に重大なダメージを生ずることがある。電池によって供給される電圧を精確に監視する手段がないと、これらのシステムの信頼性と安全性は、確保され得ない。
【０００６】
そのため、電池の電圧を監視するための改善された方法及び機構が、必要とされている。
【課題を解決するための手段】
【０００７】
本発明は、組み込みテスト機構を備えたセル・バッファを提供する。セル・バッファは、電池によって供給される電圧を測定する能力を備えている。テスト機構は、セル・バッファが適正に機能しているか否かをテストする能力を備え、ひいては精確な電圧測定を行う。
【０００８】
テスト機構は、テスト信号をセル・バッファに供給するテスト信号プロバイダを含んでいる。定常動作中、テスト信号は、ディセーブルにされ、セル・バッファは、正常に動作する。テスト中、テスト信号は、イネーブルにされ、セル・バッファの出力を規定の態様で変更する。次にセル・バッファ出力の変化が監視されて、セル・バッファが適正に機能しているか否かが判定されることができる。具体的には、セル・バッファの電圧出力が、供給されたテスト信号に対応するように変化した場合は、セル・バッファの機能は、確証される。セル・バッファの電圧出力が適正に変化しない場合は、セル・バッファは適正に動作していないことが判明する。このように、組み込みテスト機構によって、セル・バッファが適正に動作しているか否かを迅速かつ精確に判定する能力が、付与される。その上、テスト機構は、装置のサイズと複雑さを過剰にする必要なく、この機能を付与する。
【０００９】
なお、本発明の上記の、およびその他の目的、特徴、および利点は、添付図面に図示する本発明の好適な実施形態の下記のより詳細な説明から明らかにされる。
【発明を実施するための最良の形態】
【００１０】
以下に、添付図面を参照して、本発明の好適な実施形態を説明する。図中、同様の呼称は、同様の素子を示す。
本発明は、組み込みテスト機構を備えたセル・バッファを提供する。セル・バッファは、電池によって供給される電圧を測定する能力を備えている。テスト機構は、セル・バッファが適正に機能しているか否かをテストする能力を備え、ひいては精確な電圧測定を行う。
【００１１】
テスト機構は、テスト信号をセル・バッファに供給するテスト信号プロバイダを含んでいる。定常動作中、テスト信号は、ディセーブルにされ、セル・バッファは、正常に動作する。テスト中、テスト信号は、イネーブルにされ、セル・バッファの出力を規定の態様で変更する。次にセル・バッファ出力の変化が、監視されて、セル・バッファが適正に機能しているか否かが、判定される。具体的には、セル・バッファの電圧出力が、供給されたテスト信号に対応するように変化した場合は、セル・バッファの機能は、確証される。セル・バッファの電圧出力が適正に変化しない場合は、セル・バッファは、適正に動作していないことが判明する。このように、組み込みテスト機構によって、セル・バッファが適正に動作しているか否かを迅速かつ精確に判定する能力が、付与される。その上、テスト機構は、装置のサイズと複雑さを過剰にする必要なく、この機能を付与する。
【００１２】
セル・バッファおよびテスト機構は、共通モード電圧をなくする必要があるどの用途にも使用できる。セル・バッファおよびテスト機構は、例えば多重電池システムにおけるような共通モード電圧が存在する場合の電圧測定に、特に応用できる。セル・バッファによって共通モード電圧がなくなり、電池の電圧に比例するシングルエンド共通アース電圧が、生成される。次にシングルエンド共通アース電圧を測定して、電池が適正に動作しているか否かを判定できる。このように、テスト機構によってセル・バッファが共通モード電圧を精確に除去しているか否か、またテスト機構が適正に動作しているか否かを判定する能力が、付与される。
【００１３】
セル・バッファは、どのような種類の電池を監視し、テストするためにも使用できる。例えば、（リチウム・イオン・バッテリのような）従来型のバッテリ、（水素燃料電池のような）燃料電池、および太陽電池を監視するために使用できる。これらの全ての場合で、特定の電池の監視を促進するため、共通モード電圧を除去するために、セル・バッファを使用できる。
【００１４】
ここで図１に転じてこれを参照すると、セル・バッファ、電圧モニタ、およびテスト機構の実施例が、概略的に示されている。セル・バッファは、監視するように構成されている電池からの差動入力を受ける。セル・バッファは、電池から共通モード電圧を除去し、差動電圧に比例するシングルエンド共通アース電圧を生成する。この共通アース電圧は、次に電圧モニタに供給され、これは、電圧を監視して、電池が適正に動作しているか否かを判定する。
【００１５】
テスト機構は、セル・バッファが適正に機能しているか否かをテストする能力を備えている。テスト機構は、テスト信号をセル・バッファに選択的に追加する能力を備えている。定常動作中、テスト信号は、ディセーブルにされ、基本的にゼロ・ボルトを供給し、セル・バッファは、正常に動作する。テスト中、テスト信号は、イネーブルにされ、セル・バッファの出力を規定の態様で変更する。電圧モニタは、セル・バッファの出力に対応する変化があるか否かを判定する。具体的には、セル・バッファの電圧出力が、供給されたテスト信号に対応するように変化した場合は、セル・バッファの適正な機能が確証される。セル・バッファの電圧出力が適正に変化しない場合は、セル・バッファは、適正に動作していないことが判明する。このように、組み込みテスト機構によって、セル・バッファが適正に動作しているか否かを迅速かつ精確に判定する能力が、付与される。
【００１６】
電圧モニタは、セル・バッファの出力を監視する能力を備え、適宜の態様で実装可能である。例えば、電圧モニタは、複数のセル・バッファからどの電圧を監視するかを選択するマルチプレクサと、選択された電圧をデジタル信号に変換するアナログ／デジタル変換機とを備えることができ、この信号は、マイクロプロセッサによって監視されることができる。
【００１７】
ここで図２に転じてこれを参照すると、セル・バッファ１００の好適な実施形態が、概略的に示されている。セル・バッファ１００は、演算増幅器１０１と、抵抗Ｒ１、Ｒ２、Ｒ３、Ｒ４、Ｒ５、およびＲ６と、コンデンサＣ１、Ｃ２、およびＣ３とを含んでいる。セル・バッファ１００は、電池から差動入力を受け、電圧モニタに出力する。セル・バッファ１００はさらに、テスト信号電圧を受けるためのテスト信号入力を含んでいる。
【００１８】
定常動作中、テスト信号は、ディセーブルにされ、基本的にゼロ・ボルトを抵抗Ｒ１に供給し、セル・バッファは、監視するように構成されている電池からの差動入力を受けることによって動作する。セル・バッファは、電池から共通モード電圧を除去し、差動電圧に比例するシングルエンド共通アース電圧を生成する。この共通アース電圧は、次に電圧モニタに供給され、これは、電圧を監視して、電池が適正に動作しているか否かを判定する。
【００１９】
テスト中、テスト信号は、イネーブルにされ、正または負の電圧を抵抗Ｒ１に追加する。テスト信号の追加によって、セル・バッファの動作が変化する。具体的には、生成されたシングルエンド共通アース電圧は、テスト信号の電圧に対応する値だけ変更される。修正された電圧は、次に電圧モニタに出力される。修正された電圧を評価し、未修正の電圧と比較することによって、電圧モニタは、セル・バッファが適正に動作しているか否かを判定することができる。このようにして、テスト機構は、セル・バッファが適正に動作しているか否かを迅速かつ精確に判定する能力を備えている。
【００２０】
抵抗Ｒ１−Ｒ６は、好適には、セル・バッファの利得を適正に調整するように選択される。具体的には、これらの抵抗は、好適には、演算増幅器に適していて、監視用に適した差動入力に比例する出力を生成するレベルまで共通モード電圧を降下させるように、選択される。
【００２１】
一実施例として、抵抗Ｒ１−Ｒ６は、差動入力電圧の２倍＋テスト信号（ＶＯＵＴ＝２ＶＩＮ＋ＶＴＥＳＴ＿ＳＩＧＮＡＬ）である出力電圧を供給するように選択される。これは、抵抗値Ｒ１＝３００ｋ、Ｒ２＝３００ｋ、Ｒ３＝１８７ｋ、Ｒ４＝１８７ｋ、Ｒ５＝１０５ｋ、およびＲ６＝１５０ｋを選択することによって、達成可能である。これらの抵抗値は、大きい入力抵抗をもたらし、セル電圧を適正にバッファするために必要な利得をもたらし、かつテスト信号入力に対する所望の応答をもたらす。勿論、これは、組み込みテスト付きのセル・バッファを実装するために利用できる多くの異なる抵抗の組み合わせの一例であるに過ぎない。
【００２２】
さらに、テスト信号入力をＲ１に配置する代わりに、Ｒ３またはＲ４に配置することもできることに留意されたい。具体的には、Ｒ３またはＲ４はアースから遮断され、その代わりにテスト信号が印加されよう。そこでＲ１はアースに接続されよう。このような実装は、入力＋テスト信号の２倍である出力を生じないことがあるが、それでも用途によっては望ましい場合がある。
【００２３】
コンデンサＣ１およびＣ３は、高周波ノイズをフィルタで除去するためのものである。コンデンサＣ２は、ＥＳＤ保護のために入力リード上にある。１つの実装では、コンデンサＣ１、Ｃ２、およびＣ３は．０３９マイクロファラッドのキャパシタンスを有している。単一電池の用途では、付加的なＥＳＤ保護のためにＣ２に等しい値の第４のコンデンサを、上部差動入力とアースとの間に追加することも望ましいであろう。多重電池の用途では、このキャパシタンスは、隣接するセル・バッファ上のＣ２コンデンサによって供給されることができる。
【００２４】
ここで図３に転じてこれを参照すると、テスト信号プロバイダ２００が、４個のセル・バッファと電圧モニタとのバンクと共に図示されている。テスト信号プロバイダ２００は、セル・バッファが適正に動作しているか否かをテストするために使用されるテスト信号を供給する。定常動作中、テスト信号は、ディセーブルにされ、ほぼゼロ・ボルトを供給し、セル・バッファは、監視するように構成されている電池からの差動入力を受けることによって動作する。テスト中、テスト信号プロバイダ２００は、テスト信号をイネーブルにする。テスト信号の追加によってセル・バッファの動作が変化する。具体的には、生成されたシングルエンド共通アース電圧は、テスト信号の電圧に対応する値だけ変更される。
【００２５】
テスト信号プロバイダ２００は、演算増幅器２０１と、ｎ−チャネルＭＯＳＦＥＴ２０７と、演算増幅器２０３と、演算増幅器２０５と、抵抗Ｒ１０、Ｒ１１、Ｒ１２、Ｒ１３、Ｒ１４、Ｒ１５、およびＲ１６とを備えている。テスト信号プロバイダ２００は、基準電圧入力とテスト制御入力とを受け、２つのテスト信号、すなわちテスト信号１とテスト信号２を出力する。テスト信号１およびテスト信号２は、セル・バッファ内に入力される。具体的には、テスト信号１は、セル・バッファ２および４に入力され、テスト信号２は、セル・バッファ１および３に入力される。
【００２６】
１つの実装では、抵抗Ｒ１０、Ｒ１１、Ｒ１２、Ｒ１３、Ｒ１４、Ｒ１５、およびＲ１６は、全て１０ｋオームの抵抗からなり、一方、Ｒ１１は、２４９０オームの抵抗からなり、抵抗Ｒ１４は、６０４オームの抵抗からなっている。
【００２７】
定常動作中、テスト制御入力は、ｈｉｇｈである。それによって演算増幅器２０１は、ｈｉｇｈ信号を出力し、ＭＯＳＦＥＴ２０７をオンに切り換える。それによって演算増幅器２０３の正の入力における電圧は、ほぼゼロになり、それによって演算増幅器２０３からのほぼゼロ・ボルトの出力が、生成される。抵抗Ｒ１５およびＲ１６は双方とも、１０ｋオームであるので、演算増幅器２０５は、マイナス１の利得を生じ、定常モードではその出力は、ほぼゼロ・ボルトである。
【００２８】
テスト・モード中、テスト制御入力は、ｌｏｗである。それによって演算増幅器２０１は、ｌｏｗ信号を出力し、ＭＯＳＦＥＴ２０７をオフに切り換える。それによって演算増幅器２０３の正の入力における電圧は、抵抗Ｒ１１およびＲ１４の分圧器によって分割された基準入力電圧になる。演算増幅器２０３は、１の非反転利得として接続され、その出力、すなわちテスト信号１は、基本的にこの電圧である。演算増幅器２０５は、１の反転利得として接続され、その出力、すなわちテスト信号２は、基本的に抵抗Ｒ１１およびＲ１４によって分割された基準入力電圧のマイナス値になる。
【００２９】
テスト信号プロバイダ２００は、電圧モニタのテストが可能であるように、極性が反対の２つのテスト信号を供給する。具体的には、基準入力が５．０Ｖである場合は、テスト信号１は、イネーブルにされると、約＋０．９８Ｖになり、テスト信号２は、約−０．９８Ｖになる。これらの異なるテスト信号は、それらのセル・バッファに異なる影響を及ぼすので、電圧モニタが適正なセル・バッファをテストしていることを確認するために、これらのテスト信号を利用できる。
【００３０】
このように、本発明は、組み込みテスト機構を備えたセル・バッファを提供する。セル・バッファは、電池によって供給される電圧を測定する能力を備えている。テスト機構は、セル・バッファが適正に機能しているか否かをテストする能力を備え、ひいては精確な電圧測定を行う。
【００３１】
本明細書に開示した実施形態および実施例は、本発明およびその特定の用途を最良に説明し、それによって当業者が本発明を製造し、利用できるようにするために提示されたものである。しかし、上記の説明および実施例は、図示および例示目的のみのために提示されたものであることを当業者は理解しよう。開示された説明は、網羅的なもの、または本発明を開示した精確な形態に限定することを意図するものではない。特許請求の範囲の趣旨から離れることなく、上記の説明にかんがみ、多くの修正および変更が可能である。
【図面の簡単な説明】
【００３２】
【図１】テスト機構を備えたセル・バッファの該略図である。
【図２】セル・バッファの概略図である。
【図３】４個のセル・バッファを備えたテスト信号プロバイダの概略図である。
【図１】
2005532538.tif 000003
【図２】
2005532538.tif 000004
【図３】
2005532538.tif 000005
【国際調査報告】
2005532538.tif 000006
2005532538.tif 000007